(57)【要約】【課題】着座および離席のときに遊技台の直前まで行かず横側から行え、しかも、離席すると自動的に遊技台側へ格納される遊技場用の椅子を提供する。【解決手段】遊技場では、横並びで背中合わせに着座し、その間を狭い通路を形成している。本発明は、回動軸１２を備えた背もたれ２と一体の座１と、回動軸１２を支持する縦筒軸受１３を備えた座支持体４と、基部５に前脚３Ａと後脚３Ｂの下端を連結するとともに、それぞれの上端を座支持体４に連結して前後方向へ傾動可能とした脚３とを備えている。そして、脚３を前方へ付勢するバネと、回動軸１２の下端に設けた回転カム１４と、脚３の前傾と連動して回転カム１４に係合するストロークカム１５とからなる復帰手段１０を備えている。【選択図】  図１
2011083306.tif 000002
【特許請求の範囲】
【請求項１】
底中央部に回動軸を備えた背もたれと一体の座と、該回動軸を支持する縦筒軸受を備えた座支持体と、床に固設した基部に前脚と後脚の下端を連結するとともに、それぞれの上端を該座支持体に連結して前後方向へ傾動可能とした脚と、を備え、離席したときは、自動的に脚が前傾するとともに座が遊技台側に向いて格納される復帰手段を備えた遊技場用の椅子であって、該復帰手段は、脚を前方へ付勢するように基台に設けたバネと、該回動軸の下端に設けた回転カムと、脚の前傾と連動して該回転カムに係合するストロークカムとからなり、該回転カムとストロークカムは、前傾した格納時には座が遊技台側を向いた位置で回動が阻止するように形成されたことを特徴とする遊技場用の椅子。
【請求項２】
前記復帰手段は、回転カムとストロークカムのカム面を、格納時に互いに当接する斜めの面とし、ストロークカムは、一端を脚に連結したレバーにピンで支持し、該ピンを脚の傾動と連動して回転カムに係合させる案内溝を前記縦筒軸受に設けたことを特徴とする請求項１記載の遊技場用の椅子。
【請求項３】
前記復帰手段は、回転カムを三角凸状とするとともに、ストロークカムを三角凹状として脚に固設したことを特徴とする請求項１記載の遊技場用の椅子。
【発明の詳細な説明】
【技術分野】
【０００１】
本発明は、不使用時には、背もたれと一体の座を遊技台側に向けて前傾した姿勢に自動的に格納できるようにした遊技場用の椅子に関するものである。
【背景技術】
【０００２】
遊技場においては、横に並んだ多数の遊技台に向かって椅子が並べられ、背中合わせに着座してその間を通路としており、通路が狭いところが少なくない。
そこで、不使用時は、背もたれと一体の座を自動的に前方へ移動させて格納するようにしたものが開発されている。（例えば、特許文献１参照）。
【０００３】
特許文献１の遊技場用の椅子は、背もたれと一体の座を前方へ移動可能に脚に取付け、座受け体２をバネで前方へ付勢させるとともに、スムーズに座ることができるように、座をバネで前方へ傾斜させている。
【先行技術文献】
【特許文献】
【０００４】
【特許文献１】実開平６−１３５９５号公報
【発明の開示】
【発明が解決しようとする課題】
【０００５】
特許文献１に示す遊技場用の椅子は、簡素な構成で不使用時は、背もたれと一体の座を遊技台側へ自動的に格納されるように構成されており、背部の通路を広くすることができる。しかしながら、格納時は椅子が遊技台近くに押込まれた状態にあり、着座するときは、遊技台との間の狭い空間に入らなければならず、離席するときも出ずらい、という問題がある。
【０００６】
そこで、本発明は、着座および離席のときに遊技台の直前まで行かず横側から行え、しかも、離席すると自動的に遊技台側へ格納される遊技場用の椅子を提供することを目的としている。
【課題を解決するための手段】
【０００７】
上記の目的を解決するため、本発明の遊技場用の椅子は、次のように構成した。すなわち、底中央部に回動軸を備えた背もたれと一体の座と、該回動軸を支持する縦筒軸受を備えた座支持体と、床に固設した基部に前脚と後脚の下端を連結するとともに、それぞれの上端を該座支持体に連結して前後方向へ傾動可能とした脚と、を備え、離席したときは、自動的に脚が前傾するとともに座が遊技台側に向いて格納される復帰手段を備えた遊技場用の椅子であって、該復帰手段は、脚を前方へ付勢するように基台に設けたバネと、該回動軸の下端に設けた回転カムと、脚の前傾と連動して該回転カムに係合するストロークカムとからなり、該回転カムとストロークカムは、前傾した格納時には座が遊技台側を向いた位置で回動が阻止するように形成されたことを特徴としている。
【０００８】
ここで、前脚、前方、前傾という用語は、遊技台へ向かう方を前として使用している。
脚を前後方向へ傾動可能とする機構は、前脚と後脚で４点リンクとするのが、一般的であるが、着座時のクッションを持たせるため圧縮バネを装着して伸縮するようにしてもよい。傾動する角度は適宜なものとすればよく、格納する位置と着座して背もたれにもたれて後傾させた所定の位置では、それ以上傾くことを阻止するためのストッパを設ける。このストッパは、前脚と後脚に所定の角度で互いに当接する部材を設けてもよいし、脚の上端部に座支持体と所定の角度で係止する部材でもよい。また、前脚および後脚の形状は、筒状や断面コ字状にするなど任意であり、特に限定はしない。
【０００９】
座の回動は、座の底中央部に設けた回動軸と、座支持体に設けた縦筒軸受とで、構成するが、回動の範囲は、左右にそれぞれ９０度程度とするのがよい。それ以上にした場合は、復帰手段の回転カムとストロークカムの形状および係合手段が複雑になる。
【００１０】
復帰手段における脚を前傾させるために基台に設けるバネは、引張りバネが簡便であるが、圧縮バネを用いるようにしてもよい。
また、回転カムは、回動軸に設けられており、座の回転とともに回転する。そして、ストロークカムは、脚が後傾しているときは、回転カムと座を自由に回転できるような係合とするか、離れてしまうようにし、脚が前傾するにつれて座を前方へ向かせるように回転カムに係合し、格納状態となる最前傾に位置した時には、座の回動が阻止されるようにするのが望ましい。
【００１１】
回転カムとストロークカムの形状および係合させる手段は、とくに限定しないが、請求項２に記載のように、回転カムとストロークカムのカム面を、格納時に互いに当接する斜めの面とし、ストロークカムは、一端を脚に連結したレバーにピンで支持し、該ピンを脚の傾動と連動して回転カムに係合させる案内溝を縦筒軸受に設けるとよい。
また、請求項３に記載のように、回転カムを三角凸状とするとともに、ストロークカムを三角凹状として脚に固設してもよい。
【発明の効果】
【００１２】
本発明の遊技場用の椅子は、離席時に、自動的に脚が前傾するとともに座が遊技台側に向いて格納される復帰手段として、脚を前方へ付勢するように基台に設けたバネと、回動軸の下端に設けた回転カムと、脚の前傾と連動して該回転カムに係合するストロークカムとからなり、該回転カムとストロークカムは、前傾した格納時には座が遊技台側を向いた位置で回動が阻止するように形成したので、遊技をする人は格納状態の椅子を手前に引いて９０度ほど回転させて横から着座すればよく、また、離席のときは、背もたれにもたれたまま、９０度程度回転して横から離れればよく、スムーズに着座、離席ができる。
また、離席したときは何らの操作を必要とせずに自動的に格納状態となるので、手がかからず、空席がどこにあるかを簡単に見つけることもできる。
【００１３】
また、復帰手段を請求項２に記載のように回転カムとストロークカムのカム面を、格納時に互いに当接する斜めの面とし、ストロークカムは、一端を脚に連結したレバーにピンで支持し、該ピンを脚の傾動と連動して回転カムに係合させる案内溝を縦筒軸受に設ける構成とすれば、簡素な部材で済み、着座しているときは回転カムとストロークカムは係合しないので、耐久性もあり座り心地を損なうこともない。
また、復帰手段を請求項３に記載のように、回転カムを三角凸状とするとともに、ストロークカムを三角凹状として脚に固設したものとすれば、より簡素なものとすることができる。
【図面の簡単な説明】
【００１４】
【図１】本発明の遊技場用の椅子の実施の形態を示す側面図である。
【図２】同、復帰手段の周辺を示す拡大図である。
【図３】同、復帰手段の主要部分を示す斜視図である。
【図４】同、着座しているときの椅子の姿勢を示す側面図である。
【図５】同、別の復帰手段を示す斜視図である。
【図６】同、脚の前傾によって回転カムとストロークカムの係合状態を示す説明図である。
【図７】同、また、別の復帰手段を示す斜視図である。
【図８】同、脚の前傾によって回転カムとストロークカムの係合状態を示す説明図である。
【発明を実施するための形態】
【００１５】
本発明の遊技場用の椅子の実施の形態を図面に基づいて説明する。
図１は、本発明の椅子が格納されているときの姿勢を示す正面図である。
この椅子は、背もたれ２と一体の座１が座支持体４に回動可能に取付けられ、座支持体４は、床に固設された基部５に前後方向へ傾動可能とした脚３で取付けられている。そして、離席したときは、座１が前方（遊技台方向）を向いて脚３が傾斜した姿勢にする復帰手段１０が設けられている。
【００１６】
脚３は、前脚３Ａと後脚３Ｂとからなり、それぞれ、上端は座支持体４に連結ピン７ａ、７ｂで連結され、下端は基部５にそれぞれ連結ピン７ｃ、７ｄで連結されている。
前脚３Ａと後脚３Ｂは断面がコ字状で互いに向かい合うように組み合わせている。なお、連結ピン７ａ、７ｂ、７ｃ、７ｄを結ぶ線はリンクを形成し（ここでは平行リンクとしている）、前後方向（図１において左右方向）に傾動可能としている。そして、前脚３Ａの上端部は所定の角度前傾したときに、また、後脚３Ｂの上端部は所定の角度後傾したときに、それぞれ座支持体４に当接するように形成されている。
【００１７】
復帰手段１０は、脚３を前傾状態に復帰させるための手段と、座１を回動させて前方へ向かせる手段とからなる。
前者については、連結ピン７ｃから後脚３Ｂの中程の位置に設けたピンに引張バネ６を張設し、常時脚３を前方へ付勢させることによっている。
後者については、図２および図３に示すように、まず、座１は、座受け１ａの裏面中央部に回動軸１２が固設されたブラケット１１が固設され、この回動軸１２は座支持体４に固設された縦筒軸受１３に嵌合して、回動自由になっている。なお、ここでは、回動できる範囲を左右とも９０度に制限しており、９０度回動すると座支持体４に当接するストッパが座１に設けられている（図示してない）。
【００１８】
そして、回動軸１２の下端に回転カム１４がボルトで取り付けられ、脚３の前傾に伴ってこれに係合するストロークカム１５が縦筒軸受１３の下部に取付けられている。すなわち、脚３に一端をピン１６ａで連結したレバー１６を設け、他端を縦筒軸受１３の下部に穿設した垂直方向の案内溝１３ａに嵌合するピン１６ｂを備えており、このピン１６ｂにストロークカム１５が取付けられている。そして、レバー１６は、ピン１６ｂが脚３の前傾に伴って上昇し、後傾すると下降するように配置されている。
回転カム１４とストロークカム１５には格納状態のときに互いに合致する傾斜面１４ａ、１５ａが形成されており、脚３が後傾しているときは、離れており、前傾するにつれてストロークカム１５が回転カム１４に係合して座１を漸次前方へ向かせ、格納時は座１が前方を向いて傾斜面１４ａと傾斜面１５ａが合致し、座１は回動はできないようになっている。
【００１９】
このように構成されているので、椅子に着座していないときは、復帰手段１０によって、座１が遊技台に向けて前傾した状態の格納姿勢に保持されている。
着座する場合は、まず、背もたれ４に手を掛けて後方（遊技台から離れる方向）へ引く。これにより脚３がリンク機構により後傾し、座１が後方へ移動し、これにともなって、レバー１６がピン１６ａを支点として時計回りに回動し、ピン１６ｂが案内溝１３ａに案内されて下降するので、ストロークカム１５が回転カム１４から離れていく。
続いて、座１を９０度回動させ、横向きになって着座する。そして、そのまま、座１を遊技台の方へ向くように回動させれば、所定の位置（図４の状態）になり、遊技をすることができる。
【００２０】
離席する場合は、脚３を後傾させた状態のまま、左右いずれかへ９０度回転させて、降りるだけでよい。
椅子から離れると、脚３は引張りバネ６によって前傾するので、これに伴ってレバー１６が反時計回りに回転し、ストロークカム１５を上昇させ、傾斜面１５ａが回転カム１４の傾斜面１４ａと係合するようになり、座１が前方を向くように回動する。そして、脚３の上端が当接して傾動が停止するときには傾斜面１４ａと傾斜面１５ａは当接して座１は前方を向いて格納姿勢となる。
【００２１】
次に、復帰手段の別の実施の形態を図５および図６に基づいて説明する。なお、上記の実施の形態の構成要素と同じ部材は同一の符号を用いている。また、脚３の傾動手段は上記の場合と同じであるので、説明を省略する。
図５は、椅子が後傾したときの状態の復帰手段２０を示す斜視図で、上記の実施の形態とは、回転カム２１に係合するストロークカム２２の作動機構が相違する点である。
１１は、座受け１ａの裏面中央部に取付けられたブラケットで、下部に回動軸１２が固設され、下端には回転カム２１が取り付けられている。そして、座支持体４に該回動軸１２と嵌合する縦筒軸受１３が固設されている。なお、回転カム２１は、上記の回転カム１４と同じものを用いている。
【００２２】
座支持体４の前端の連結ピン７ａに一端を連結した２本のレバー２４が設けられ、他端にはストロークカム２２がピン２４ａで取付けられている。なお、ピン２４ａはレバー２４に設けた縦方向が長い楕円孔に遊嵌されている。
そして、一端（下端側）が脚３にピン２３ｂで連結され、他端側が該ピン２４ａに連結されたガイド２３が設けられている。ガイド２３の他端側（上部側）には案内溝２３ａが設けられており、ピン２４ａはこれに遊嵌されている。
【００２３】
このように構成されているので、上記の実施の形態の場合と同じく、脚３が後傾している着座状態のときには、図６（ｃ）に示すように、ピン２４ａが案内溝２３ａの最下部に位置し、ストロークカム２２は回転カム２１とは係合しない。したがって、座１は左右に９０度自由に回動可能となっている。
そして、左右いずれかへ９０度回動させて、座１から降りたときは、引張りバネ６によって自動的に脚３が前方へ傾動し、それに伴って、ピン２４ａが案内溝２３ａの上端側へ移動し、回転カム２１とストロークカム２２のカム面２１ａ、２２ａが係合して、座１を前方（遊技台側）へ向くように回動させる。図６（ｂ）は脚３の傾動途中の状態を示しており、最前傾時は、図６（ａ）に示すように、案内溝２３ａの最上部に位置し、回転カム２１とストロークカム２２のカム面２１ａ、２２ａが互いに密着し、格納姿勢となる。
【００２４】
次に、復帰手段のまた別の実施の形態を図７および図８に基づいて説明する。なお、上記の実施の形態の構成要素と同じ部材は同一の符号を用いている。
図７は、脚３が前傾したときの復帰手段３０の状態を示す斜視図である。
１１は、座受け１ａの裏面中央部に取付けられたブラケットで、下部に回動軸１２が固設され、下端には回転カム３１が取り付けられている。そして、前脚３Ａにストロークカム３２が取付けられている。また、座支持体４には該回動軸１２と嵌合する縦筒軸受１３が固設されている。
回転カム３１は三角に形成されたカム面３１ａを有し、ストロークカム３２は、凹三角に形成されたカム面３２ａを備えている。
【００２５】
このように構成されているので、脚３が後傾している着座状態のときには、図８（ｂ）に示すように、回転カム３１とストロークカム３２のカム面３１ａ、３２ａが離れており座１は左右に９０度自由に回動できる。
そして、この状態で、遊技台を正面にした位置から左右いずれかへ９０度回動させて、座１から降りたときは、引張りバネ６によって自動的に脚３が前方へ傾斜し、それに伴って、回転カム３１とストロークカム３２のカム面３１ａ、３２ａが係合して、座１を前方（遊技台側）へ向くように回動させる。最前傾時は、図８（ａ）に示すように、カム面３１ａとカム面２２ａが密着し、座１は前方を向き格納姿勢になる。
【符号の説明】
【００２６】
１  座
１ａ  座受
２  背もたれ
３  脚
３Ａ  前脚
３Ｂ  後脚
４  座支持体
５  基部
６  バネ
７ａ  連結ピン
７ｂ  連結ピン
７ｃ  連結ピン
７ｄ  連結ピン
１０  復帰手段
１１  ブラケット
１２  回動軸
１３  縦筒軸受
１３ａ  案内溝
１４  回転カム
１５  ストロークカム
１６  レバー
１６ａ  ピン
１６ｂ  ピン
２０  復帰手段
２１  回転カム
２１ａ  カム面
２２  ストロークカム
２２ａ  カム面
２３  ガイド
２３ａ  案内溝
２３ｂ  ピン
２４  レバー
２４ａ  ピン
３０  復帰手段
３１  回転カム
３１ａ  カム面
３２  ストロークカム
３２ａ  カム面
【図１】
2011083306.tif 000003
【図２】
2011083306.tif 000004
【図３】
2011083306.tif 000005
【図４】
2011083306.tif 000006
【図５】
2011083306.tif 000007
【図６】
2011083306.tif 000008
【図７】
2011083306.tif 000009
【図８】
2011083306.tif 000010